(57)【要約】【課題】画像のセキュリティを維持して全体の画像の容量は小さく、且つ、頻繁にアクセスさせる直近の画像については高速に表示できるようにする。【解決手段】画像を検索キー２６，２７と画像の登録日２８とを対応付けて期間経過前記憶部２０に記憶させ、登録日から所定の期間を経過した画像は、圧縮し暗号化して検索キー及び画像の登録日と対応付けて期間経過後記憶部２１に記憶させておき、検索する画像が登録日から所定の期間の経過前の画像のときは、検索キーに基づいて期間経過前記憶部２０を検索させて画像を表示し、検索する画像が登録日から所定の期間の経過後の画像のときは、検索キーに基づいて期間経過後記憶部２１を検索させて復号化し伸長して画像を表示する。【選択図】図１
2015132964.tif 000002
【特許請求の範囲】
【請求項１】
検索キーにより画像を検索させて該画像を表示する画像検索端末装置であって、
前記検索キーを入力する入力部と、
前記画像を表示する表示部とを有し、
前記画像を前記検索キーと前記画像の登録日と対応付けて第１の記憶部に記憶させ、
前記登録日から所定の期間を経過した前記画像は、第１の所定の処理を行わせて前記検索キー及び前記画像の登録日と対応付けて第２の記憶部に記憶させておき、
検索する前記画像が前記登録日から前記所定の期間の経過前の画像のときは、前記検索キーに基づいて前記第１の記憶部を検索させて前記画像を前記表示部に表示し、
検索する前記画像が前記登録日から前記所定の期間の経過後の画像のときは、前記検索キーに基づいて前記第２の記憶部を検索させて第２の所定の処理を行わせて前記画像を前記表示部に表示するよう制御する制御部を有することを特徴とする画像検索端末装置。
【請求項２】
前記第１の所定の処理は圧縮及び暗号化であって、前記第２の所定の処理は復号化及び伸長であって、
前記第１の記憶部には、前記画像をファイル形式で記憶させ、
前記第２の記憶部には、前記画像をデータベースとして記憶させたことを特徴とする請求項１記載の画像検索端末装置。
【請求項３】
検索キーにより画像を検索させて該画像を表示する画像表示プログラムであって、
前記画像を前記検索キーと前記画像の登録日と対応付けて第１の記憶部に記憶させる第１の記憶ステップと、
前記登録日から所定の期間を経過した前記画像は、第１の所定の処理を行わせて前記検索キー及び前記画像の登録日と対応付けて第２の記憶部に記憶させる第２の記憶ステップと、
検索する前記画像が前記登録日から前記所定の期間の経過前の画像のときは、前記検索キーに基づいて前記第１の記憶部を検索させて画像を表示手段に表示し、
検索する前記画像が前記登録日から前記所定の期間の経過後の画像ときは、前記検索キーに基づいて前記第２の記憶部を検索させて第２の所定の処理を行わせて画像を前記表示手段に表示する画像表示ステップとをコンピュータに実行させるための画像検索プログラム。
【請求項４】
前記第１の所定の処理は圧縮及び暗号化であって、前記第２の所定の処理は復号化及び伸長であって、
前記第１の記憶部には、前記画像をファイル形式で記憶させ、
前記第２の記憶部には、前記画像をデータベースとして記憶させたことを特徴とする請求項３記載の画像検索プログラム。
【請求項５】
画像を検索可能に管理して記憶する画像管理装置と、入力部から検索キーを入力して前記画像を検索させ検索結果を表示部に表示する画像検索端末装置を備え、前記画像を検索して表示する画像検索表示システムにおいて、
前記画像管理装置は、
登録日に前記画像を最初に記憶する第１の記憶部と、
前記記憶した前記画像が前記登録日から所定の期間を経過したときは、第１の所定の処理を施して記憶する第２の記憶部と、
前記画像を前記検索キー及び前記登録日と対応付けて管理情報として記憶する管理情報記憶部と、
前記第１の所定の処理として圧縮及び暗号化を行い、第２の所定の処理として復号化及び伸長を行う画像データ処理部とを備え、
前記画像検索端末装置からの検索キーに基づいて前記管理情報を参照して前記画像を検索し、前記画像が、登録日から前記所定の期間を経過した画像のときは、前記第２の記憶部から読み出して前記第２の所定の処理を施して前記画像検索端末装置の前記表示部にて表示するようにしたことを特徴とする画像検索表示システム。
【請求項６】
画像を一時記憶する画像ファイル一時記憶部を備え、
前記第２の記憶部から読み出して前記第２の所定の処理を施した画像を前記画像ファイル一時記憶部に記憶し、前記画像検索端末装置にて直接参照できるようにしたことを特徴とする請求項５記載の画像検索表示システム。
【請求項７】
登録日に最初に画像を記憶する第１の記憶部と、
前記記憶した前記画像が前記登録日から所定の期間を経過したときは、第１の所定の処理を施して記憶する第２の記憶部と、
前記画像を前記検索キー及び前記登録日と対応付けて管理情報として記憶する管理情報記憶部と、
前記第１の所定の処理として画像圧縮及び暗号化を行い、第２の所定の処理として復号化及び伸長を行う画像データ処理部とを備え、
端末装置から受信した検索キーに基づいて前記管理情報を参照して前記画像を検索し、前記画像が、前記登録日から所定の期間を経過した前記画像のときは、前記第２の記憶部から読み出して前記第２の所定の処理を施した前記画像を前記端末装置へ送出するようにしたことを特徴とする画像管理装置。
【請求項８】
画像を一時記憶する画像ファイル一時記憶部を備え、
前記第２の記憶部から読み出し前記第２の所定の処理を施した画像を前記画像ファイル一時記憶部に記憶し、外部から直接参照できるようにしたことを特徴とする請求項７記載の画像管理装置。
【発明の詳細な説明】
【技術分野】
【０００１】
本発明は、イメージスキャナで読み取った帳票等の画像を管理情報とともに管理させ、該管理情報に基づいて所望の画像を検索させて表示する技術に関するものである。
【背景技術】
【０００２】
銀行等の金融機関では、金融取引業務にて取り扱った帳票等の画像をイメージスキャナにて読み取って証跡情報として記憶しておき、適時に記憶した画像を検索して表示する必要がある。近年、この記憶しておくべき画像が大容量となり記憶装置のコスト上昇、画像検索表示速度及び画像データバックアップ時間が問題になりつつある。
この問題を解決する画像検索システムとして、図１３及び図１４に示した画像検索システムが提案されている。図１３及び図１４は従来の画像検索システムを示す構成図である。図１３に示す従来の画像検索システム（以下、「従来技術１」という）は、光ディスク装置等の大容量の外部記憶装置６０を備えた画像検索システムである。
また、図１４に示す従来の画像検索システム（以下、「従来技術２」という）は、画像を圧縮し暗号化して圧縮・暗号化画像記憶部７０に記憶することにより、記憶容量を小さくするとともにセキュリティ性をも向上した画像検索システムである。
【０００３】
従来技術１の画像検索システムは、図１３に示したように、帳票等の画像を読取るイメージスキャナ３２がそれぞれ接続された複数の端末装置３１が、画像管理装置５１にＬＡＮ等のネットワーク３０で接続された構成となっている。なお、端末装置３１は、ワークステーション、パーソナルコンピュータが一般的あり、イメージスキャナ３２で読み取った画像を記憶させる際の検索キーの設定、更に、後に検索して表示させる際の検索キーの入力を行う。
【０００４】
そして、画像管理装置５１は、ネットワーク３０を介して端末装置３１から送信されてきた画像を記憶する大容量の外部記憶装置６０と、画像管理制御部５２とからなる。外部記憶装置６０には、セキュリティを考慮して鍵６１を設けている。
そして、画像管理制御部５２は、記憶した画像を検索可能に管理するための管理情報を記憶する管理情報記憶部５３と、ファイルアクセス制御部５４を具備している。ファイルアクセス制御部５４は、外部記憶装置６０への画像の記憶及び端末装置３１の操作者の検索要求に応じて所望の画像を外部記憶装置６０から読み出す制御を行う。この画像管理制御部５２は、画像管理サーバとして構成されるものもある。
【０００５】
以上の構成により従来技術１の画像検索システムは、以下のように動作する。
先ず、画像を記憶するときは、端末装置３１にて画像の管理情報として検索キーが入力され、イメージスキャナ３２で読み取られた画像が検索キーとともにネットワーク３０を経由して画像管理装置５１に送信される。すると、画像管理制御部５２のファイルアクセス制御部５４は、破線矢印Ｗ０１のように、外部記憶装置６０にその画像を記憶するとともに、検索キー及び記憶ディスク番号等の記憶場所を管理情報記憶部５３に記憶する。
【０００６】
そして、記憶された画像を検索し読み出すときは、操作者が端末装置３１にて入力した検索キーに基づいて、ファイルアクセス制御部５４が管理情報記憶部５３を検索し要求された画像の記憶ディスク番号等の記憶場所を抽出する。ファイルアクセス制御部５４は破線矢印Ｒ０１のように、外部記憶装置６０から所望の画像を読み出し、ネットワーク３０を経由して端末装置３１に送信する。
このように、記憶する画像が大容量になっても、大容量の外部記憶装置６０に画像を記憶することで問題を解決する画像検索システムはあった（例えば、特開平８−１３７９７１号公報(特許文献１)参照）。
【０００７】
図１４に示すように、従来技術２の画像検索システムも、従来技術１と同様、ＬＡＮ等のネットワーク３０により複数の端末装置３１が画像管理装置５１に接続された構成となっている。
従来技術２の画像管理装置５１は、検索キーとともにネットワーク３０を介して端末装置３１から送信されてくる画像を圧縮した後、暗号化して記憶する圧縮・暗号化画像記憶部７０と、画像管理制御部５２とからなる。圧縮・暗号化画像記憶部７０は、ハードディスク内に構成される。この画像管理装置５１は、画像管理サーバとして構成される場合もある。
【０００８】
そして、画像管理制御部５２は、記憶した画像を検索可能に管理するための管理情報を記憶する管理情報記憶部５３と、ファイルアクセス制御部５４と、画像データ処理部５５を具備している。
ファイルアクセス制御部５４は、圧縮・暗号化画像記憶部７０への画像の記憶及び端末装置３１からの検索要求に応じて所望の画像を圧縮・暗号化画像記憶部７０から読み出す制御を行う。画像データ処理部５５は、画像を圧縮し暗号化する処理、更に圧縮され暗号化された画像を復号化し伸長する処理を行う。
【０００９】
そして、以上の構成により従来技術２の画像検索システムは、以下のように動作する。
先ず、画像を記憶するときは、端末装置３１にて画像の管理情報として検索キーが入力され、イメージスキャナ３２で読み取られた画像が検索キーとともにネットワーク３０を経由して画像管理装置５１に送信される。すると、画像管理制御部５２のファイルアクセス制御部５４は、画像データ処理部５５によりその画像を圧縮し暗号化して、破線矢印Ｗ１１のように、圧縮・暗号化画像記憶部７０に記憶する。そして、画像の管理情報として端末装置３１にて入力された検索キーとフォルダ名等の記憶場所を管理情報記憶部５３に記憶する。
【００１０】
そして、画像を検索し読み出すときは、ファイルアクセス制御部５４は、端末装置３１にて操作者が入力した検索キーに基づいて、管理情報記憶部５３を検索し要求された画像のフォルダ名等の記憶場所を抽出する。そして、破線矢印Ｒ１１のように、圧縮・暗号化画像記憶部７０から所望の画像を読み出す。
次に、画像データ処理部５５は、圧縮・暗号化画像記憶部７０から読み出された圧縮・暗号化画像を復号化し伸長して、破線矢印Ｒ１２のように、ネットワーク３０を経由して画像を要求した端末装置３１に送信する。
このように、記憶する画像が大容量になっても、圧縮して暗号化し記憶することにより必要な記憶容量を減らして画像を管理する画像検索システムはあった（例えば、特開２０１３−２０６３２３（特許文献２）参照）。
【先行技術文献】
【特許文献】
【００１１】
【特許文献１】特開平８−１３７９７１号公報
【特許文献２】特開２０１３−２０６３２３号公報
【発明の概要】
【発明が解決しようとする課題】
【００１２】
しかしながら、上記従来技術１の画像検索システムでは、物理的な鍵でセキュリティを確保する必要があるため、セキュリティ性が低く、また、光ディスクへのアクセス時間が長く、頻繁に表示させたい画像についても、画像の表示が遅くなるという問題があった。
また、上記従来技術２の画像検索システムでは、すべての画像が圧縮され暗号化さているため、頻繁に表示させたい画像についても、復号化、伸長に時間がかかり、やはり、画像の表示が遅くなるという問題があった。
【００１３】
本発明が解決しようとする課題は、セキュリティを維持して全体の画像の容量を小さくするとともに、頻繁に表示させる必要のある直近に登録した画像については、高速に表示することである。
【課題を解決するための手段】
【００１４】
上記課題を解決するために本発明に関する画像検索端末装置は、検索キーにより画像を検索させて該画像を表示する画像検索端末装置であって、前記検索キーを入力する入力部と、前記画像を表示する表示部とを有し、前記画像を前記検索キーと前記画像の登録日と対応付けて第１の記憶部に記憶させ、前記登録日から所定の期間を経過した前記画像は、第１の所定の処理を行わせて前記検索キー及び前記画像の登録日と対応付けて第２の記憶部に記憶させておき、検索する前記画像が前記登録日から前記所定の期間の経過前の画像のときは、前記検索キーに基づいて前記第１の記憶部を検索させて前記画像を前記表示部に表示し、検索する前記画像が前記登録日から前記所定の期間の経過後の画像のときは、前記検索キーに基づいて前記第２の記憶部を検索させて第２の所定の処理を行わせて前記画像を前記表示部に表示するよう制御する制御部を有することを特徴とするものである。
【発明の効果】
【００１５】
本発明によれば、このような構成とすることにより、セキュリティを維持して全体の画像の容量を小さくできるとともに、頻繁に表示させる必要のある直近に登録した画像については高速に表示することができる。
【図面の簡単な説明】
【００１６】
【図１】第１の実施の形態に関する画像検索システムの構成図である。
【図２】第１の実施の形態に関する画像検索システムの端末装置の構成図である。
【図３】第１の実施の形態に関する画像検索システムの画像管理装置の管理情報の構成図である。
【図４】第１の実施の形態に関する画像検索システムにおける画像を読取って記憶するときのフローチャートである。
【図５】第１の実施の形態に関する画像検索システムにおける画像を検索して表示するときのフローチャートである。
【図６】第１の実施の形態に関する端末装置のスキャナ読取時操作画面の説明図である。
【図７】第１の実施の形態に関する端末装置の検索時入力用操作画面（期間経過前）の説明図である。
【図８】第１の実施の形態に関する端末装置の検索時入力用操作画面（期間経過後）の説明図である。
【図９】第１の実施の形態に関する端末装置の検索時選択用操作画面（期間経過前）の説明図である。
【図１０】第１の実施の形態に関する端末装置の検索時選択用操作画面（期間経過後）の説明図である。
【図１１】第１の実施の形態に関する端末装置の検索時表示用操作画面（期間経過前）の説明図である。
【図１２】第１の実施の形態に関する端末装置の検索時表示用操作画面（期間経過後）の説明図である。
【図１３】従来の画像検索システムの構成図である。
【図１４】従来の画像検索システムの構成図である。
【発明を実施するための形態】
【００１７】
（第１の実施の形態）
以下に本発明の第１の実施の形態を説明する。各図面に共通な要素には同一の符号を付す。なお、以下の説明では、取り扱う画像を銀行等の金融機関で用いられる帳票の画像を例として説明するが、顔や風景などの写真の画像であってもよい。
【００１８】
図１は、第１の実施の形態に関する画像検索システムの構成図であり、図２は第１の実施の形態に関する画像検索システムの端末装置の構成図である。第１の実施の形態に関する画像検索システムは、図１に示したように、帳票等の画像を読取るイメージスキャナ３２がそれぞれ接続された複数の画像検索端末装置としての端末装置３１が、画像管理装置１１にＬＡＮ等のネットワーク３０で接続された構成となっている。端末装置３１は、画像管理装置１１に対しイメージスキャナ３２により読み取った画像を記憶させ、更に、画像管理装置１１に対し後述する検索キーにより画像を検索させて、検索した画像を当該端末装置３１に表示する。画像管理装置１１は、端末装置３１の要求により画像を記憶し、更に、端末装置３１の検索要求に応じて所望の画像を検索して読み出し、端末装置３１へ返信する。
【００１９】
画像検索端末装置としての端末装置３１は、図２に示したように、各部を制御する主制御部４１と、ＬＣＤ及び透明タッチパネルからなり操作者が表示ガイダンスに応じて操作する表示部又は入力部としての操作表示部４２と、イメージスキャナ３２の制御を行うスキャナ制御部４３と、ネットワーク３０を制御するネットワーク制御部４４と、後述する画像読取りプログラム、画像表示プログラム等を記憶するプログラム記憶部４５と、ＲＡＭ等で構成されるワーキングメモリ４６とからなる。この端末装置３１は、ワークステーション、パーソナルコンピュータ、携帯端末、携帯電話などであってもよい。
【００２０】
画像管理装置１１は、画像管理制御部１２と、復号化され伸長された画像ファイルを一時記憶する画像ファイル一時記憶部１６と、画像を記憶し登録した登録日から所定の期間を経過していない画像、即ち直近に登録した画像を保管データとして記憶する第１の記憶部としての期間経過前記憶部２０と、登録日から所定の期間を経過した画像を圧縮し暗号化して保存データとして記憶する第２の記憶部としての期間経過後記憶部２１とからなる。画像ファイル一時記憶部１６、期間経過前記憶部２０及び期間経過後記憶部２１は、ハードディスク内に構成される。なお、この画像管理装置１１は、画像管理サーバとして構成してもよい。
【００２１】
そして、画像ファイル一時記憶部１６及び期間経過前記憶部２０には端末装置３１から直接参照できるようなファイル形式で画像が記憶される。
一方、期間経過後記憶部２１には、直接には参照できない後述するファイル形式、或いはデータベースとして画像が記憶される。データベースとして画像を記憶する場合は、例えば、市販されているORACLE（登録商標）、MICROSOFT ACCESS（登録商標）等のような構造化照会言語（ＳＱＬ）による関係データベース管理システム（ＲＤＢＭＳ）、オブジェクト指向データベース管理システム（ＯＤＢＭＳ）などのデータベースを管理するソフトウェアを用いて構成するようにすればよい。  
【００２２】
画像管理制御部１２は、各画像を検索可能に管理するための検索キー情報及び記憶場所情報などの管理情報を記憶する管理情報記憶部１３と、ファイルアクセス制御部１４と、画像データ処理部１５を具備している。
管理情報記憶部１３の管理情報は、図３に示した構成となっている。図３は第１の実施の形態に関する画像検索システムの画像管理装置の管理情報の構成図である。画像欄２４には画像Ａ、画像Ｂ、画像Ｃ・・・が記憶され、各画像Ａ、Ｂ、Ｃ等と関連付けて検索キー情報欄２５と記憶場所情報欄３５が記憶される。検索キー情報欄２５には、ユーザ名欄２６（例えば山田太郎）、帳票名欄２７（例えば振込依頼書）、登録日欄２８（例えば２０１３．１１．０８）などを有する。例えば画像欄２４の画像Ａは、検索キーとしての帳票名欄２７の「振込依頼書」と登録日欄２８の「２０１３．１１．０８」と対応し、画像Ｂは、「契約書類」と「２０１３．１１．１１」と対応する。このように画像は検索キーと登録日が対応付けて記憶される。記憶場所情報欄３５には、画像を記憶している記憶場所欄３６（例えば期間経過後記憶部）、フォルダ名欄３７（例えば\abc\efg）、ファイル名欄３８（例えばXX1514.jpg）などを有する。
【００２３】
なお、登録日にはその画像を記憶し登録した日を登録日として記憶し、記憶場所にはその画像を記憶した記憶部、即ち「期間経過前記憶部」又は「期間経過後記憶部」のいずれかが記憶される。
期間経過後記憶部２１をデータベースにて構成する場合では、図３に示す管理情報記憶部１３の管理情報の画像Ａ〜Ｅについては、前述した市販のデータベースを管理するソフトウェアにより管理される。
【００２４】
ファイルアクセス制御部１４は、第１の記憶部としての期間経過前記憶部２０又は第２の記憶部としての期間経過後記憶部２１への選択的な画像記憶の制御を行う。更にファイルアクセス制御部１４は、端末装置３１の操作者の検索要求に応じて所望の画像を検索して読み出す制御、及び画像を画像ファイル一時記憶部１６に記憶するなどの制御を行う。
画像データ処理部１５は、画像の暗号化及び復号化を行う暗号化・復号化処理部１５ａ及び画像を圧縮又は伸長する圧縮・伸長処理部１５ｂを有する。これらはファイルアクセス制御部１４の制御により、画像を第１の所定の処理としての圧縮し暗号化する処理、及び圧縮、暗号化され期間経過後記憶部２１に記憶された画像を第２の所定の処理としての復号化し伸長する処理を行う。
【００２５】
上記画像の圧縮は、例えば、ＪＰＥＧ（Joint Photographic Experts Group）、ＴＩＦＦ（Tagged Image File Format）などの圧縮方法を用いてもよいしその他の圧縮方法を用いてもよい。
暗号化の方法については、例えば、ＤＥＳ（Data Encryption Standard）暗号化や、Blowfish暗号化、ＡＥＳ （Advanced Encryption
Standard）等を用いてＪＰＥＧファイルやＴＩＦＦファイルを暗号化するようにしてもよいし、特に、複数ページに亘る画像の場合であれば、ＰＤＦ（Portable Document Format）形式にして圧縮してこれをあらかじめ決められた暗号鍵にて読取りを制限するようにしてもよい。
以下の説明では、画像をＪＰＥＧ方式にて圧縮し、あらかじめ決められた暗号鍵又はあらかじめ決められた所定のアルゴリズムで暗号化する場合を例として説明する。
【００２６】
以上の構成により、第１の実施の形態に関する画像検索システムは、以下のように動作する。図４は第１の実施の形態に関する画像検索システムにおける画像を読取って記憶するときのフローチャートである。なお、この動作を説明するに際し、図６〜図１２を補足的に用いて説明する。
【００２７】
先ず、画像を画像管理装置１１に記憶する動作は、図４に示すフローチャートのように動作する。即ち、
Ｓ０１：端末装置３１の主制御部４１は、プログラム記憶部４５に記憶した画像読取りプログラムを起動する。通常、画像管理装置１１に画像を記憶する場合にはアクセス制限する必要はないが、アクセス制限する必要がある場合は、その端末装置３１が画像管理装置１１に画像を記憶できる端末装置３１であることを証する秘密鍵やパスフレーズをこの画像読取プログラムに内在させるようにする。
【００２８】
Ｓ０２：画像読取りプログラムが起動すると、端末装置３１の主制御部４１は操作表示部４２に対し、図６に示したスキャナ読取時操作画面Ｇ０１を表示するよう指示する。図６は第１の実施の形態に関する端末装置のスキャナ読取時操作画面の説明図である。操作者は、検索キーをスキャナ読取時操作画面Ｇ０１の入力エリア１０１に入力し、確定ボタン１０２を押下する。検索キーとは、イメージスキャナ３２にて読取る帳票に関する検索用のキー情報である。図６に示す例では、図３に示した画像欄２４の画像Ｘとなる帳票名欄２７の振込依頼書の画像を読取る例として、ユーザ名欄２６の「山田  花子」、帳票名欄２７の「振込依頼書」が入力されることを示す。この時、登録日欄２８の画像の登録日を端末装置３１にて指定して入力しておくようにしてもよい。端末装置３１の主制御部４１は操作表示部４２に対し、操作者が入力した検索キーを検出するよう指示する。
【００２９】
Ｓ０３：次に、操作者が画像を読取る振込依頼書をイメージスキャナ３２にセットすると、主制御部４１はスキャナ制御部４３に対し、イメージスキャナ３２を起動するよう指示する。スキャナ制御部４３はイメージスキャナ３２を起動する。そして、イメージスキャナ３２がオートドキュメントフィーダを備えている場合は、複数ページを連続して読み取り、オートドキュメントフィーダを備えていない場合は、単票として読み取る。
【００３０】
Ｓ０４：画像の読取りが終了すると、主制御部４１はネットワーク制御部４４に対し、読み取った画像を端末装置３１にて入力された検索キーとともに送信するよう指示する。ネットワーク制御部４４はネットワーク３０を経由して画像管理装置１１の画像管理制御部１２に対し読み取った画像及び検索キーを送信する。
この時、画像を記憶する際にアクセス制限をする場合は、画像読取プログラムに内在させた秘密鍵やパスフレーズを用いて画像管理制御部１２に認証を要求する。なお、この認証は、公開鍵、秘密鍵によるＲＳＡ暗号方式やＤＳＡ暗号化方式などを用いて行うようにすればよい。
Ｓ０５：画像管理装置１１の画像管理制御部１２は、ファイルアクセス制御部１４に対し、受信した画像を期間経過前記憶部２０に保管データとしてファイル形式で記憶させるよう指示する。
Ｓ０６：期間経過前記憶部２０への画像の記憶が終了すると、画像管理制御部１２は、ネットワーク３０を経由して端末装置３１に対して画像保管終了通知を送信する。
【００３１】
この時、画像管理制御部１２は、図３に示したように、画像欄２４の画像Ａ、Ｂ、Ｃ等と関連付けて、ユーザ名欄２６、帳票名欄２７、登録日欄２８等の検索キー情報欄２５と、記憶場所欄３６、フォルダ名欄３７、ファイル名欄３８等の記憶場所情報欄３５を管理情報記憶部１３に管理情報として記憶する。
本例では、画像Ｘの検索キーとして入力された帳票名の「振込依頼書」、ユーザ名の「山田  花子」を画像欄２４の画像Ｘと関連付けて、帳票名欄２７に「振込依頼書」、ユーザ名欄２６に「山田  花子」を記憶し、登録日欄２８にはその画像を記憶し登録日として「２０１３．１２．１０」を記憶する。更に、画像管理制御部１２は、記憶場所欄３６には「期間経過前記憶部」を記憶し、フォルダ名欄３７、ファイル名欄３８には画像を記憶した期間経過前記憶部２０におけるフォルダ名「\hij\klm」、ファイル名「ZZ1001.bmp」を記憶する。
【００３２】
Ｓ０７：画像保管終了通知を受信した端末装置３１の主制御部４１は、操作表示部４２に対し、次に読取る帳票があるかどうかを操作者に確認する表示を行うよう指示する。有る場合はステップＳ０２に戻って、同様に、図６に示すスキャナ読取時操作画面Ｇ０１を操作表示部４２に表示し、次の帳票の画像を読み取る。一方、次に読取る帳票がなかったときは、ステップＳ０８へ移行する。
Ｓ０８：次に読取る帳票がなかったときは、操作者は図６に示すスキャナ読取時操作画面Ｇ０１の終了ボタン１０３を押下する。主制御部４１は操作表示部４２に対し、終了ボタン１０３の押下を検出するよう指示する。操作表示部４２による終了ボタン１０３の押下検出により画像読取プログラムが終了する。
【００３３】
そして、次に詳細に説明するように、日中の金融取引業務が終了し夜間になると、画像管理制御部１２は、期間経過前記憶部２０に記憶されたすべての画像を読み出し、圧縮し、暗号化して期間経過後記憶部２１に記憶する。そして画像管理制御部１２は、登録日から所定の期間を経過した期間経過前記憶部２０の画像については、すべて削除する処理を行う。なお、ステップＳ１０からＳ２０の処理は、夜間に自動的に画像管理制御部１２が処理を開始するのではなく、端末装置３１からの指示により上記処理を開始するようにしてもよい。
【００３４】
図４に示すフローチャートに戻って、
Ｓ１０：画像管理制御部１２は、ファイルアクセス制御部１４に対し、期間経過前記憶部２０に記憶された画像を読み出すよう指示する。このとき、期間経過前記憶部２０に記憶された画像はそのまま残す。
Ｓ１１：画像管理制御部１２は、画像データ処理部１５に対し画像の圧縮及び暗号化を行うよう指示する。
Ｓ１２：画像の圧縮及び暗号化の指示を受信した画像データ処理部１５は、期間経過前記憶部２０から読み出された画像を圧縮してＪＰＥＧファイルにし、更に、あらかじめ決められた暗号鍵又はあらかじめ決められた所定のアルゴリズムで暗号化する。
【００３５】
Ｓ１３：そして、画像データ処理部１５にて圧縮し暗号化された画像は、期間経過後記憶部２１に送信される。
Ｓ１４：画像管理制御部１２は、ファイルアクセス制御部１４に対し、期間経過後記憶部２１に保存データとして記憶するよう指示する。
Ｓ１５：画像管理制御部１２は、保存終了通知を受領する。
Ｓ１６：画像管理制御部１２は、ステップＳ１０において期間経過前記憶部２０から読み出した画像が登録日から所定の期間を経過しているか否かを判定する。
【００３６】
ここで、銀行等の金融機関では、帳票等の画像は、画像を記憶し登録した登録日から１週間程度の期間は頻繁に証跡情報として表示して業務に用いられ、この期間を上記所定の期間として設定するのがよい。なお、この所定の期間は、固定とするのではなく、画像の記憶の頻度をカレンダー情報として記憶しておき、このカレンダー情報に基づいて随時変更するようにしてもよいし、端末装置３１からの指示により随時変更するようにしてもよい。
【００３７】
Ｓ１７：そして、期間経過前記憶部２０から読み出された画像が登録日から所定の期間を経過している場合、画像管理制御部１２は、ファイルアクセス制御部１４に対し、期間経過前記憶部２０に記憶されている画像を削除するよう指示する。
Ｓ１８：ファイルアクセス制御部１４は期間経過前記憶部２０の当該画像を削除する。
【００３８】
この時、図３に示す画像欄２４の画像Ａ〜Ｅのように、管理情報の記憶場所情報欄３５の記憶場所欄３６が「期間経過後記憶部」に書き換えられ、フォルダ名欄３７、ファイル名欄３８が期間経過後記憶部２１におけるフォルダ名、ファイル名に書き換えられる。
Ｓ１９：ステップ１８において期間経過前記憶部２０の画像が削除されると、画像管理制御部１２は、削除終了通知を受領する。
Ｓ２０：画像管理制御部１２は、ファイルアクセス制御部１４に対し、期間経過前記憶部２０に記憶された画像すべてについて以上の処理を行ったかどうかを判定するよう指示する。未了の画像があるときは、ステップＳ１０に戻って、同様の処理を行う。
一方、すべて画像の処理が終了したときは、夜間に行うステップＳ１０からＳ２０の処理を終了する。
【００３９】
次に画像を画像管理装置１１から読み出して端末装置３１にて表示する動作は、図５に示すフローチャートのように動作する。図５は第１の実施の形態に関する画像検索システムにおける画像を検索して表示するときのフローチャートである。
Ｓ３０：先ず、端末装置３１の主制御部４１は画像表示プログラムを起動する。なお、この画像表示プログラムには、画像を表示できる端末装置３１であることを証する秘密鍵やパスフレーズが内在されており、この画像表示プログラムがインストールされた端末装置３１のみが画像管理装置１１に記憶された画像を表示することができる。
【００４０】
Ｓ３１：画像表示プログラムが起動すると、端末装置３１の主制御部４１は、操作表示部４２に対し、図７に示す検索時入力用操作画面Ｇ１１を表示するよう指示する。図７は第１の実施の形態に関する端末装置の検索時入力用操作画面（期間経過前）の説明図である。操作者は表示したい画像のユーザ名、登録日等の検索キーを入力エリア２０１に入力し、帳票一覧ボタン２０２を押下する。主制御部４１は、操作表示部４２に対し、操作者が入力したユーザ名、登録日等の検索キーを検知するよう指示する。なお、登録日については、操作者が入力しないで検索するようにしてもよいし、登録日として範囲を指定して検索するようにしてもよい。
【００４１】
Ｓ３２：帳票一覧ボタン２０２が押下されると、端末装置３１の主制御部４１は、ネットワーク制御部４４に対し、入力されたユーザ名と、そのユーザ名に係る帳票名一覧の送信要求を画像管理装置１１の画像管理制御部１２に送信するよう指示する。この時、画像読取プログラムに内在させた秘密鍵やパスフレーズを用いて画像管理制御部１２に認証を要求する。この認証は、公開鍵、秘密鍵によるＲＳＡ暗号方式やＤＳＡ暗号化方式などを用いて行うようにすればよい。
【００４２】
なお、図７に示す検索時入力用操作画面Ｇ１１では、登録日から所定の期間を経過する前、即ち、直近の画像Ｘの振込依頼書を表示する例として、ユーザ名に「山田  花子」、登録日として「２０１３年１２月１０日」が入力された例を示している。
登録日から所定の期間を経過した古い画像を表示する場合では、図８に示す検索時入力用操作画面Ｇ２１のように入力される。図８は第１の実施の形態に関する端末装置の検索時入力用操作画面（期間経過後）の説明図である。画像Ｂの契約書類の画像を表示する例として、ユーザ名に「山田  太郎」、登録日として「２０１３年１１月１１日」が入力された例を示している。検索時入力用操作画面Ｇ１１と検索時入力用操作画面Ｇ２１はフォーマットが同じであり、入力エリア２０１に入力する登録日が異なるだけである。
【００４３】
Ｓ３３：ユーザ名及び帳票名一覧の送信要求を受信した画像管理制御部１２は、管理情報記憶部１３に記憶されたすべての画像に関する図３に示す管理情報を参照し、送信されてきたユーザ名に係る帳票名一覧を作成し、端末装置３１に送信する。
Ｓ３４：端末装置３１の主制御部４１は、操作表示部４２に対し、送信されてきた帳票名一覧を図９に示す検索時選択用操作画面Ｇ１２に表示するよう指示する。図９は第１の実施の形態に関する端末装置の検索時選択用操作画面（期間経過前）の説明図である。
【００４４】
なお、図７に示す検索時入力用操作画面Ｇ１１は、画像欄２４の画像Ｘを表示する例は、ユーザ名欄２６が「山田  花子」かつ登録日欄２８が「２０１３年１２月１０日」の検索キーが入力されたときの画面である。このときの帳票名一覧は、この検索キー情報にて図３に示す管理情報が参照され、帳票名欄２７の「振込依頼書」及び「委任状」が、図９に示す検索時選択用操作画面Ｇ１２のように帳票名一覧として選択エリア２０３に表示される。
【００４５】
また、図８に示す検索時入力用操作画面Ｇ２１は、画像欄２４の画像Ｂを表示する場合の例として、ユーザ名が「山田  太郎」、登録日が「２０１３年１１月１１日」の検索キーが入力されたときの画面である。このときの帳票名一覧は、この検索キー情報にて図３に示す管理情報が参照され、帳票名欄２７の「契約書類」、「委任状」、「本人確認書類」及び「口座開設申込書」が、図１０に示した検索時選択用操作画面Ｇ２２のように帳票名一覧として選択エリア２０３に表示される。図１０は第１の実施の形態に関する端末装置の検索時選択用操作画面（期間経過後）の説明図である。検索時選択用操作画面Ｇ１２と検索時選択用操作画面Ｇ２２はフォーマットが同じであり、選択エリア２０３に表示された帳票名が異なるだけである。
【００４６】
Ｓ３５：すると操作者は、図９、図１０に示す選択エリア２０３にて、所望とする帳票名を選出し、選択ボタン２０４を押下する。主制御部４１は操作表示部４２に対し、操作者が選択した帳票名を検出するよう指示する。なお、図９に示す例では、表示したい帳票名として「振込依頼書」が選択され、図１０に示す例では、帳票名として「契約書類」が選択されていることを示す。
Ｓ３６：端末装置３１は、ネットワーク制御部４４に対し、操作者が選択した帳票名を送信するとともに、その帳票名の画像が記憶されている記憶場所情報を返信するように画像管理制御部１２に要求するよう指示する。
【００４７】
Ｓ３７：画像管理制御部１２は、管理情報記憶部１３に記憶された図３に示す管理情報を参照し、操作者が選択した帳票名の画像の記憶場所欄３６、フォルダ名欄３７及びファイル名欄３８等の記憶場所情報を端末装置３１に送信する。
画像欄２４の画像Ｘを表示する場合では、画像の記憶場所欄３６として「期間経過前記憶部」、フォルダ名欄３７「\hij\klm」、ファイル名欄３８「ZZ1001.bmp」が送信され、画像Ｂを表示する場合では、画像の記憶場所欄３６として「期間経過後記憶部」のみが送信される。
【００４８】
Ｓ３８：端末装置３１の主制御部４１は、送信されてきた記憶場所が「期間経過前記憶部」であるかどうかを判定する。
Ｓ３９：記憶場所が「期間経過前記憶部」であった場合は、表示する画像が登録日から所定の期間経過していない画像であり、読み出し可能なファイル形式で期間経過前記憶部２０に記憶されている場合である。そこで、端末装置３１の主制御部４１は、ネットワーク制御部４４に対し、ステップＳ３７にて送信されてきたフォルダ名「\hij\klm」、ファイル名「ZZ1001.bmp」を用いて、直接、期間経過前記憶部２０をアクセスするよう指示する。
【００４９】
Ｓ４０：端末装置３１は、期間経過前記憶部２０から該当する画像を読み出す。
Ｓ４１：端末装置３１の操作表示部４２に対し、図１１に示した検索時表示用操作画面Ｇ１３を表示するよう指示する。図１１は第１の実施の形態に関する端末装置の検索時表示用操作画面（期間経過前）の説明図である。図１１に示す例では、表示エリア２０５に表示する帳票画像として「振込依頼書」が複数ある場合の例となっている。そして、次に操作者が継続して画像を表示するときは、次の検索ボタン２０６を押下する。
【００５０】
Ｓ４２：一方、ステップＳ３８にて、送信されてきた記憶場所が「期間経過後記憶部」であった場合は、端末装置３１は、ネットワーク制御部４４に対し、画像抽出要求を画像管理制御部１２に送信するよう指示する。
Ｓ４３：画像管理制御部１２は、画像抽出要求を受信すると、ステップＳ３７にて図３に示す管理情報を参照して取得したフォルダ名、ファイル名等の記憶場所情報を画像抽出指示とともに画像データ処理部１５に送信する。
この場合、画像欄２４の画像Ｂを検索して表示する場合であるので、図３に示す管理情報から記憶場所情報欄３５としてフォルダ名欄３７「\abc\efg」及びファイル名欄３８「XX1513.jpg」が抽出され、画像データ処理部１５に送信される。
【００５１】
Ｓ４４：画像抽出指示及び記憶場所情報を受信した画像データ処理部１５は、期間経過後記憶部２１から該当する暗号化された画像を抽出し、あらかじめ決められた暗号鍵又はあらかじめ決められた所定のアルゴリズムにて復号化し、画像ファイル一時記憶部１６の所定のフォルダに、所定のファイル名にて記憶する。
Ｓ４５：画像データ処理部１５は、圧縮画像を画像ファイル一時記憶部１６への記憶を終了したことを、画像管理制御部１２を経由して端末装置３１に通知する。
Ｓ４６：画像ファイル一時記憶部１６への記憶を終了したことを受信した端末装置３１の主制御部４１は、ネットワーク制御部４４に対し、圧縮画像の伸長要求を画像管理制御部１２に送信するよう指示する。
【００５２】
Ｓ４７：圧縮画像の伸長要求を受信した画像管理制御部１２は、画像データ処理部１５に対して圧縮画像の伸長を行うよう指示する。
Ｓ４８：圧縮画像の伸長指示を受信した画像データ処理部１５は、ステップＳ４４にて画像ファイル一時記憶部１６に一時記憶された圧縮画像を読み出し伸長し、伸長された画像を画像ファイル一時記憶部１６の任意のフォルダに、任意のファイル名にて記憶する。
Ｓ４９：圧縮画像の伸長が終了したこと、及び伸長された画像を記憶した画像ファイル一時記憶部１６のフォルダ名、ファイル名を、画像管理制御部１２を経由して端末装置３１に通知する。
【００５３】
Ｓ５０：圧縮画像の伸長が終了したこと、画像ファイルが記憶された画像ファイル一時記憶部１６のフォルダ名、ファイル名を受信した端末装置３１は、画像ファイル一時記憶部１６を直接アクセスする。
Ｓ５１：端末装置３１の主制御部４１は、操作表示部４２に対し、図１２に示す検索時表示用操作画面Ｇ２３の画像を表示するよう指示するよう指示する。図１２は第１の実施の形態に関する端末装置の検索時表示用操作画面（期間経過後）の説明図である。図１２に示す例では、表示エリア２０５に表示された帳票として「契約書類」が複数ページに亘る場合の例となっている。検索時表示用操作画面Ｇ１３と検索時表示用操作画面Ｇ２３はフォーマットが同じであり、表示エリア２０５に表示された帳票の画像が異なるだけである。
そして、次に操作者は、継続して画像を表示するときは、操作画面Ｇ２３の次の検索ボタン２０６を押下する。
この時、図示していないが、セキュリティを考慮して、端末装置３１から画像表示が終了したことを画像管理制御部１２に通知し、ステップＳ４４、Ｓ４８にて画像ファイル一時記憶部１６に記憶した画像を削除させるのがよい。
【００５４】
以上のように動作させることにより、第１の実施の形態に関する画像検索システムでは、登録日から所定の期間を経過する前の画像を表示する場合では、図７、図９及び図１１に示すように操作表示部４２の操作画面が表示される。一方、登録日から所定の期間経過した古い画像を表示する場合では、図８、図１０及び図１２に示すように操作画面が表示される。このように、端末装置３１の操作者から見ると、登録日から所定の期間を経過する前の直近の画像を表示する場合であっても、古い画像を表示する場合であっても、同一の操作で、同じように所望の画像が表示される。
【００５５】
以上詳細に述べたように第１の実施の形態に関する画像検索システムによれば、登録日から所定の期間を経過した古い画像のみを圧縮し暗号化して保存しておくようにしたので、セキュリティを維持して全体の画像の容量を小さくできるとともに、頻繁に表示させる必要のある直近に登録した画像については高速に表示することができる。
また、画像管理装置１１から端末装置３１に送信される記憶場所情報を用いて、端末装置３１が、期間経過前記憶部２０又は画像ファイル一時記憶部１６の画像を、直接参照できるようにしたので、任意の時に、期間経過前記憶部２０又は画像ファイル一時記憶部１６を参照して所望とする画像を表示することができる。
【００５６】
なお、以上の実施の形態の説明では、画像検索システムとして説明したが、端末装置３１内に画像管理装置１１の各構成を備える構成としてもよい。
また、以上の実施の形態の説明では、画像ファイル一時記憶部１６、期間経過前記憶部２０及び期間経過後記憶部２１をハードディスクで構成するように説明したが、フラッシュメモリで構成するようにしてもよいし、比較的小容量となる画像ファイル一時記憶部１６、期間経過前記憶部２０については、バッテリバックアップメモリなどで構成するようにしてもよい。
【符号の説明】
【００５７】
１１    画像管理装置
１２    画像管理制御部
１３    管理情報記憶部
１４    ファイルアクセス制御部
１５    画像データ処理部
１６    画像ファイル一時記憶部
２０    期間経過前記憶部
２１    期間経過後記憶部
３１    端末装置
３２    イメージスキャナ
４２    操作表示部
４３    スキャナ制御部
【図１】
2015132964.tif 000003
【図２】
2015132964.tif 000004
【図３】
2015132964.tif 000005
【図４】
2015132964.tif 000006
【図５】
2015132964.tif 000007
【図６】
2015132964.tif 000008
【図７】
2015132964.tif 000009
【図８】
2015132964.tif 000010
【図９】
2015132964.tif 000011
【図１０】
2015132964.tif 000012
【図１１】
2015132964.tif 000013
【図１２】
2015132964.tif 000014
【図１３】
2015132964.tif 000015
【図１４】
2015132964.tif 000016